(57)【要約】【課題】術者の操作の煩雑さを軽減し光学ランプの寿命が向上された放射線撮影装置を提供する。【解決手段】本発明の構成によれば、Ｘ線管３の照射範囲を知るための光学ランプ３ｐを備えている。光学ランプ３ｐの適切な点灯時間は撮影の様式によって異なる。そこで、本発明によれば、光学ランプ制御部９は、術者が指定した撮影様式に対応する点灯時間だけ光学ランプ３ｐを点灯させるようにしている。このようにすることで、光学ランプ３ｐの寿命を長くしてメンテナンスを容易とするとともに、光学ランプ３ｐによるコリメータ５３ａの発熱を極力抑制することが可能な放射線撮影装置が提供できる。【選択図】図１
2012235949.tif 000002
【特許請求の範囲】
【請求項１】
放射線を照射する放射線源と、
放射線を検出する放射線検出手段と、
前記放射線源から照射される放射線の広がりを制限するとともに開度調節が可能なコリメータと、
前記放射線源に対して光学的に共役な位置に設けられ、照射野が前記コリメータで制限される光学ランプと、
術者の撮影様式の指示および光学ランプ点灯の指示を入力させる入力手段と、
術者の入力する撮影様式に基づいて前記光学ランプの点灯時間を制御する光学ランプ制御手段を備えたことを特徴とする放射線撮影装置。
【請求項２】
請求項１に記載の放射線撮影装置において、
術者の入力する撮影様式と前記光学ランプの点灯時間とが対応した対応テーブルを記憶した記憶手段を備え、
前記光学ランプ制御手段は、（Ａ）前記入力手段より撮影様式の指示がされると、前記記憶手段に記憶された前記対応テーブルを参照して、術者が指定した撮影様式に対応する点灯時間を認識し、（Ｂ）前記入力手段より光学ランプ点灯の指示がされると、認識した点灯時間だけ前記光学ランプを点灯することを特徴とする放射線撮影装置。
【請求項３】
請求項１または請求項２に記載の放射線撮影装置において、
被検体を載置する天板を備え、臥位の被検体を撮影する構成となっていることを特徴とする放射線撮影装置。
【請求項４】
請求項１または請求項２に記載の放射線撮影装置において、
前記放射線源を懸垂支持する懸垂支持体と、
前記放射線検出手段を支持する支柱を備え、立位の被検体を撮影する構成となっていることを特徴とする放射線撮影装置。
【請求項５】
請求項１ないし請求項４のいずれかに記載の放射線撮影装置において、
整形における四肢の撮影が可能となっていることを特徴とする放射線撮影装置。
【発明の詳細な説明】
【技術分野】
【０００１】
本発明は、放射線を照射して被検体のイメージングを行う放射線撮影装置に係り、特に放射線照射範囲の確認用の光学ランプを有する放射線撮影装置に関する。
【背景技術】
【０００２】
医療機関には放射線を照射して被検体Ｍのイメージングを行う放射線撮影装置が配備されている。このような放射線撮影装置は、図６に示すように放射線を照射する放射線源５３と、放射線を検出するＦＰＤ５４とを備えている。放射線源５３とＦＰＤ５４との間には被検体Ｍを載置する天板５２が備えられている。
【０００３】
放射線源５３には、放射線の照射範囲を制限するコリメータ５３ａが付設されている。放射線源５３から発した放射線は、このコリメータ５３ａを通過することで広がりが制限されて被検体Ｍに照射されることになる。
【０００４】
放射線源５３は、放射線の照射範囲を確認する目的で光学ランプ５３ｐを有している。光学ランプ５３ｐは、天板５２側からみてミラーｍとともにコリメータ５３ａの裏側に設けられていて、光学ランプ５３ｐから発生した光線は放射線と同じくコリメータ５３ａを通過して天板５２に向かうことになる。
【０００５】
術者が放射線照射に先立って光学ランプ５３ｐの点灯の指示を与えると、光学ランプ５３ｐが点灯し、コリメータ５３ａにより広がりが制限された可視光線が被検体Ｍの一部を照らすことになる。この被検体Ｍが光学ランプ５３ｐによって照らされた部分は、これから放射線が照射される部分と一致している。
【０００６】
放射線源５３から照射される放射線は可視光線でない。したがって、コリメートされた放射線が被検体Ｍのどの部分に当たるかを目視で確認することはできない。そこで、術者は放射線照射に先立って光学ランプ５３ｐを点灯させることで被検体Ｍにおいて放射線が照射される部分を認識する。そして、術者が光学ランプ５３ｐを点灯させた状態でコリメータ５３ａの開度の調節を行えば放射線が照射される範囲を調節することができる。この様なコリメータ５３ａを備えた構成として特許文献１などがある。
【先行技術文献】
【特許文献】
【０００７】
【特許文献１】実開平５−７６４１０号公報
【発明の概要】
【発明が解決しようとする課題】
【０００８】
しかしながら、従来の放射線撮影装置においては、次のような問題点がある。
すなわち、従来の放射線撮影装置は、光学ランプ５３ｐの照射時間の調節が簡単にできず、光学ランプ５３ｐの寿命が短くなったり，光学ランプ５３ｐの不要な点灯によりコリメータ５３ａが発熱するという問題点がある。
【０００９】
従来の放射線撮影装置は、術者が操作パネルのボタンを押下すると、光学ランプ５３ｐが一定時間だけ点灯するようになっている。術者がこの照射時間内にコリメータ５３ａの調節を終えられないときには、操作パネルのボタンをもう一度押下して光学ランプ５３ｐを点灯させなければならず、操作が煩雑となる。また、光学ランプ５３ｐを長く点灯させると、装置が光学ランプ５３ｐによってコリメータ５３ａが発熱し，故障ややけどの恐れがある。また、何度も光学ランプ５３ｐを点灯させると、光学ランプ５３ｐの寿命が短くなってしまう。
【００１０】
従来構成においては、光学ランプ５３ｐの点灯時間は撮影部位によらず一定であり，光学ランプ５３ｐの消灯を指示することでしか点灯時間を調節できない。この様な構成では、術者の操作が更に煩雑なものとなってしまう。
【００１１】
本発明は、この様な事情に鑑みてなされたものであって、その目的は、放射線の照射範囲確認用の光学ランプを有する構成において、術者の操作の煩雑さ軽減し、光学ランプの寿命が向上された放射線撮影装置を提供することにある。
【課題を解決するための手段】
【００１２】
本発明は上述の課題を解決するために次のような構成をとる。
すなわち、本発明に係る放射線撮影装置は、放射線を照射する放射線源と、放射線を検出する放射線検出手段と、放射線源から照射される放射線の広がりを制限するとともに開度調節が可能なコリメータと、放射線源に対して光学的に共役な位置に設けられ、照射野がコリメータで制限される光学ランプと、術者の撮影様式の指示および光学ランプ点灯の指示を入力させる入力手段と、術者の入力する撮影様式に基づいて光学ランプの点灯時間を制御する光学ランプ制御手段を備えたことを特徴とするものである。
【００１３】
［作用・効果］本発明の構成によれば、放射線源の照射範囲を知るための光学ランプを備えている。光学ランプの適切な点灯時間は撮影の様式によって異なる。そこで、本発明によれば、光学ランプ制御手段は、入力手段より撮影様式の指示がされると、術者の入力する撮影様式に基づいて点灯時間を制御するようにしている。このようにすると、コリメータの開度調節の作業中に光学ランプの点灯が終了してしまうことが防がれる。すると、術者は作業中に光学ランプを再点灯させる必要がないので、術者の操作の煩雑さが軽減される。また、光学ランプの点灯時間は撮影様式ごとに最適になっているので、光学ランプの無用な点灯を防止することができる。
【００１４】
放射線撮影装置においては、被検体の撮影部位に応じてコリメータの調整時間がある程度決まっている。被検体の撮影部位に応じて光学ランプの照射時間が変更されれば便利である。また、被検体の撮影部位に応じてコリメータの点灯時間を変えるようにすれば無用な光学ランプの照射を避けることができるので、装置が光学ランプによって加熱されることを防げる。また，何度も光学ランプを点灯させる必要がないので，光学ランプの寿命も向上する。このように、光学ランプの寿命を長くしてメンテナンスを容易とするとともに、光学ランプによるコリメータの発熱を極力抑制することが可能となる。
【００１５】
また、上述の放射線撮影装置において、術者の入力する撮影様式と光学ランプの点灯時間とが対応した対応テーブルを記憶した記憶手段を備え、光学ランプ制御手段は、（Ａ）入力手段より撮影様式の指示がされると、記憶手段に記憶された対応テーブルを参照して、術者が指定した撮影様式に対応する点灯時間を認識し、（Ｂ）入力手段より光学ランプ点灯の指示がされると、認識した点灯時間だけ光学ランプを点灯すればより望ましい。
【００１６】
［作用・効果］上述の構成は、本発明の放射線撮影装置の具体的構成を示すものとなっている。すなわち、光学ランプ制御手段は、入力手段より撮影様式の指示がされると、術者の入力する撮影様式と光学ランプの点灯時間とが対応した対応テーブルを参照して、術者が指定した撮影様式に対応する点灯時間を認識し、認識した点灯時間だけ光学ランプを点灯させる。このようにすると、光学ランプの点灯時間が確実に撮影様式に適したものとなる。
【００１７】
また、上述の放射線撮影装置において、被検体を載置する天板を備え、臥位の被検体を撮影する構成となっていればより望ましい。
【００１８】
［作用・効果］上述の構成は、本発明の放射線撮影装置の具体的構成を示すものとなっている。すなわち、本発明は、臥位の被検体を撮影する一般的な放射線撮影装置に適用できる。
【００１９】
また、上述の放射線撮影装置において、放射線源を懸垂支持する懸垂支持体と、放射線検出手段を支持する支柱を備え、立位の被検体を撮影する構成となっていればより望ましい。
【００２０】
［作用・効果］上述の構成は、本発明の放射線撮影装置の具体的構成を示すものとなっている。すなわち、本発明は、立位の被検体を撮影する一般的な放射線撮影装置に適用できる。
【００２１】
また、上述の放射線撮影装置において、整形における四肢の撮影が可能となっていればより望ましい。
【００２２】
［作用・効果］上述の構成は、本発明の放射線撮影装置の具体的構成を示すものとなっている。整形における四肢の撮影においては、他の撮影に比べて光学ランプの点灯時間が長くなる傾向にある。本発明を整形における四肢撮影が可能の放射線撮影装置に適用すれば、より操作が簡便でメンテナンスが容易な放射線撮影装置が提供できる。
【００２３】
本明細書においては、以下の発明も開示している。
【００２４】
（１）上述の放射線撮影装置において、対応テーブルを記憶する記憶手段を備えればより望ましい。
【００２５】
［作用・効果］上述の構成は、本発明の放射線撮影装置の具体的構成を示すものとなっている。すなわち、対応テーブルを記憶する記憶手段を備えていれば、光学ランプ制御手段はより確実に撮影様式に最適な点灯時間で光学ランプを点灯させることができる。
【００２６】
（２）上述の放射線撮影装置において、入力手段は、術者の撮影開始の指示をも入力させ、放射線源を制御する放射線源制御手段を備え、放射線源制御手段は、入力手段より撮影様式の指示がされると、術者の入力する撮影様式と放射線源の制御情報とが対応した対応テーブルを参照して、術者が指定した撮影様式に対応する制御情報を認識し、光学ランプ制御手段は、入力手段より撮影開始の指示がされると、認識した制御情報に基づいて光学ランプを制御すればより望ましい。
【００２７】
［作用・効果］上述の構成は、本発明の放射線撮影装置の具体的構成を示すものとなっている。すなわち、対応テーブルに放射線源の制御情報をも含めるようにすれば、単一の対応テーブルを管理するだけで光学ランプと放射線源との設定変更ができるので、よりメンテナンスがしやすい放射線撮影装置が提供できる。
【００２８】
（３）上述の放射線撮影装置において、コリメータを駆動させてコリメータの開度を調節するコリメータ駆動手段と、コリメータ駆動手段を制御するコリメータ駆動制御手段とを備え、入力手段は、術者のコリメータ調整の指示をも入力させればより望ましい。
【００２９】
［作用・効果］上述の構成は、本発明の放射線撮影装置の具体的構成を示すものとなっている。上述の構成によれば、コリメータを駆動させてコリメータの開度を調節するコリメータ駆動手段を備えている。これにより術者はコリメータの調節を入力手段の操作で行える。
【発明の効果】
【００３０】
本発明の構成によれば、放射線源の照射範囲を知るための光学ランプを備えている。光学ランプの適切な点灯時間は撮影の様式によって異なる。そこで、本発明によれば、光学ランプ制御手段は、入力手段より撮影様式の指示がされると、術者の入力する撮影様式と光学ランプの点灯時間とが対応した対応テーブルを参照して、術者が指定した撮影様式に対応する点灯時間を認識し、認識した点灯時間だけ光学ランプを点灯させるようにしている。このようにすることで、光学ランプの寿命を長くしてメンテナンスを容易とするとともに、光学ランプによるコリメータ５３ａの発熱を極力抑制することが可能となる。
【図面の簡単な説明】
【００３１】
【図１】実施例１に係るＸ線撮影装置を説明する機能ブロック図である。
【図２】実施例１に係るコリメータを説明する斜視図である。
【図３】実施例１に係るＸ線撮影装置の動作を説明するフローチャートである。
【図４】実施例１に係る対応テーブルを説明する模式図である。
【図５】本発明の変形例に係るＸ線撮影装置を説明する機能ブロック図である。
【図６】従来構成に係るＸ線撮影装置を説明する模式図である。
【実施例１】
【００３２】
以降、本発明の実施例を説明する。実施例におけるＸ線は、本発明の放射線に相当する。また、ＦＰＤは、フラット・パネル・ディテクタの略である。
【００３３】
＜Ｘ線撮影装置の全体構成＞
まず、実施例１に係るＸ線撮影装置１の構成について説明する。Ｘ線撮影装置１は、図１に示すように臥位の被検体Ｍを載置する天板２と、天板２の上側に設けられたＸ線を照射するＸ線管３と、天板２の下側に設けられたＸ線を検出するＦＰＤ４とを備えている。ＦＰＤ４は、被検体Ｍの体軸方向Ａまたは体側方向Ｓのいずれかに沿った４つの辺を有する矩形となっている。また、Ｘ線管３は、放射状に広がる四角錐状のＸ線ビームをＦＰＤ４に向けて照射する。ＦＰＤ４は、Ｘ線ビームを全面で受光することになる。ＦＰＤ４のＸ線を検出する検出面４ａには、Ｘ線検出素子が体軸方向Ａおよび体側方向Ｓに２次元的に配列されている。Ｘ線管３は、本発明の放射線源に相当し、ＦＰＤ４は、本発明の放射線検出手段に相当する。
【００３４】
コリメータ３ａは、開度の調節が可能となっている。コリメータ３ａは、図２に示すように、中心軸Ｃを基準として鏡像対称に移動する１対のリーフ３ｂを有し、同じく中心軸Ｃを基準として鏡像対称に移動するもう１対のリーフ３ｂを備えている。このコリメータ３ａは、リーフ３ｂを移動させることで、ＦＰＤ４が有する検出面の全面にコーン状のＸ線ビームＢを照射させることもできれば、たとえば、ＦＰＤ４の中心部分だけにファン状のＸ線ビームＢを照射させることもできる。なお、中心軸Ｃは、Ｘ線ビームＢの中心を示す軸ともなっている。なお、リーフ３ｂの対の一方は、４角錐形状となっているＸ線ビームの体軸方向Ａの広がりを調整するものであり、もう一方のリーフ３ｂの対は、Ｘ線ビームの体側方向Ｓの広がりを調整するものである。コリメータ３ａの開度の調節は、コリメータ駆動機構１３が行う。コリメータ駆動制御部１４は、コリメータ駆動機構１３を制御するものであり、主制御部２７により制御される。また、コリメータ３ａを鏡像対称に移動させる構成とせずに、一対のリーフ３ｂが独立に移動する構成としてもよい。コリメータ駆動機構１３は、本発明のコリメータ駆動手段に相当し、コリメータ駆動制御部１４は、本発明のコリメータ駆動制御手段に相当する。
【００３５】
光学ランプ３ｐは、ＦＰＤ４から見てミラーｍとともにコリメータ３ａの裏側に設けられている（図１参照）。光学ランプ３ｐから照射された可視光線はコリメータ３ａでコリメートされて被検体Ｍに向けて照射される。すなわち、光学ランプ３ｐの照射野は、コリメータ３ａで制限される。そして、Ｘ線管３のＸ線が照射される焦点と、光学ランプ３ｐの可視光線が照射される焦点とはミラーｍを介して一致するように設定されているので、光学ランプ３ｐの可視光線の広がりは、Ｘ線管３のＸ線の広がりを表していることになる。すなわち、光学ランプ３ｐはＸ線管３に対して光学的に共役な位置に設けられている。光学ランプ３ｐを照射しながらコリメータ３ａの開度を調節したあとＸ線を照射したとする。このときＸ線が被検体Ｍに入射する部分は、光学ランプ３ｐが照らしていた被検体Ｍの部分と一致している。このように、術者は光学ランプ３ｐを照射させることにより、術者はＸ線が被検体Ｍのどの部分に照射されるかを予め目視することができる。光学ランプ制御部９は、光学ランプ３ｐの点灯を制御するものである。
【００３６】
支柱５は、Ｘ線管３およびＦＰＤ４を支持している。支柱５は、支柱移動機構７により被検体Ｍの体軸方向Ａに移動することができる。支柱５を移動させることにより被検体Ｍに対するＸ線撮影を行う位置が変更できる。支柱移動制御部８は、支柱移動機構７を制御する目的で設けられている。
【００３７】
コリメータ３ａとＸ線管３の位置関係はＸ線管３の移動によって変更されず、コリメータ３ａはＸ線管３の移動に追従する。光学ランプ３ｐとＸ線管３の位置関係もＸ線管３の移動によって変更されず、光学ランプ３ｐはＸ線管３の移動に追従する。
【００３８】
Ｘ線管制御部６は、Ｘ線管３の管電流、管電圧、曝射時間などのパラメータを制御する目的で設けられている。ＦＰＤ４は、Ｘ線管３から発せられ、被検体Ｍを透過したＸ線を検出して検出信号を生成する。この検出信号は、画像生成部１１に送出され、そこで被検体Ｍの投影像が写り込んだ画像Ｐ０が生成される。Ｘ線管制御部６は、本発明の放射線源制御手段に相当する。
【００３９】
表示部２５は、Ｘ線撮影により取得された各画像を表示する目的で設けられている。操作パネル２６は、術者によるＸ線照射開始などの指示を入力させる目的で設けられている。また、主制御部２７は、各制御部を統括的に制御する目的で設けられている。この主制御部２７は、ＣＰＵによって構成され、各種のプログラムを実行することにより各制御部６，８，９，１４および画像生成部１１を実現している。また、上述の各部は、それらを担当する演算装置に分割されて実行されてもよい。記憶部２８は、後述の対応テーブルＴ，画像処理に用いられるパラメータ等のＸ線撮影装置１の制御に関するパラメータの一切を記憶する。表示部２５は、本発明の表示手段に相当する。操作パネル２６は、本発明の入力手段に相当し、記憶部２８は、本発明の記憶手段に相当する。
【００４０】
＜Ｘ線撮影装置の動作＞
次に、図３を参照してＸ線撮影装置の動作について説明する。Ｘ線撮影装置の動作としては、まず被検体Ｍを天板２に載置し（載置ステップＳ１），術者が操作パネル２６を通じて撮影の様式を選択する（撮影様式入力ステップＳ２）。そして、光学ランプ３ｐを点灯し（光学ランプ点灯ステップＳ３），光学ランプ３ｐの消灯後にＸ線撮影を開始する（Ｘ線撮影開始ステップＳ４）。以降これらの各ステップについて順を追って説明する。
【００４１】
＜載置ステップＳ１，撮影様式入力ステップＳ２＞
まず、被検体Ｍが天板２に載置される。術者が操作パネル２６を通じて撮影様式を選択すると、操作パネル２６は、選択された撮影様式をＸ線管制御部６および光学ランプ制御部９に送出する。このとき術者による撮影様式の選択は、操作パネル２６に表示された被検体Ｍの撮影部位を術者が選択することで行われる。術者は、整形における四肢の撮影をする目的で、操作パネル２６に表示された撮影部位のうちから腰部を選択したものとして以降の説明を行う。
【００４２】
＜光学ランプ点灯ステップＳ３＞
術者が腰部に関する撮影様式を選択したという情報は光学ランプ制御部９に送られる。光学ランプ制御部９は、記憶部２８に記憶されている対応テーブルＴを参照して、腰部撮影における光学ランプの点灯時間を認識する。
【００４３】
光学ランプ制御部９が参照する対応テーブルＴについて説明する。対応テーブルＴは、図４に示すように、被検体Ｍの撮影部位と光学ランプの点灯時間、管電圧、管電流、曝射時間など多数のパラメータとが関連したテーブルとなっている。被検体Ｍの撮影部位に対応した各パラメータには、各撮影部位で適した値が予め選択されている。例では、術者は腰部撮影の指示を行っているので光学ランプ制御部９は、撮影部位「腰部」に対応する光学ランプ点灯時間「３０ｓｅｃ」を記憶部２８より読み出すことになる。
【００４４】
術者が操作パネル２６を通じて光学ランプ点灯開始の指示を与えると、光学ランプ制御部９は、光学ランプ３ｐの点灯を開始する。光学ランプ制御部９は、対応テーブルＴで認識した時間だけ光学ランプ３ｐを点灯させる。例では、光学ランプ３ｐは、３０秒間点灯される。その間、コリメータ３ａによってコリメートされた可視光線が被検体Ｍの一部を照らすことになる。このようにして、光学ランプ制御部９は、術者が入力した撮影様式に基づいて光学ランプ３ｐの点灯時間を制御する。
【００４５】
術者は、操作パネル２６を通じてコリメータ駆動制御部１４および支柱移動制御部８に指示を与え、コリメータ３ａの開度および被検体Ｍに対するＸ線管３・ＦＰＤ４の位置を調節する。光学ランプ３ｐは、点灯から３０秒後に消灯される。腰部撮影は、Ｘ線撮影の位置調整に比較的時間のかかる撮影である。しかし光学ランプ３ｐが３０秒間点灯していれば術者は位置調整を確実に終了することができる。
【００４６】
一方、胸部撮影は、Ｘ線撮影の位置調整に比較的時間のかからない撮影である。仮に、術者が操作パネル２６を通じて胸部撮影の指示を与えたとすると、光学ランプ３ｐは５秒間しか点灯されない（図４参照）。この様な構成とすることで光学ランプ３ｐの無用な点灯が抑制される。
【００４７】
＜Ｘ線撮影開始ステップＳ４＞
術者が腰部に関する撮影様式を選択したという情報は上述の撮影様式入力ステップＳ２の終了時においてＸ線管制御部６にも送られる。Ｘ線管制御部６は、記憶部２８に記憶されている対応テーブルＴを参照して、腰部撮影における制御情報（管電圧・管電流・曝射時間など）を認識する。
【００４８】
光学ランプ３ｐの消灯後、術者が操作パネル２６を通じてＸ線撮影開始の指示を与えると、Ｘ線管制御部６はＸ線管３を制御してＸ線の照射をさせる。このとき照射されるＸ線は、前の光学ランプ点灯ステップＳ３において光学ランプ３ｐが照らした被検体Ｍの部分と同じ部分に照射されることになる。このときＸ線管制御部６は、対応テーブルＴにおける腰部撮影に対応した各パラメータに従いＸ線管３を制御することになる。
【００４９】
ＦＰＤ４は、被検体Ｍを透過してきたＸ線を検出し、検出信号を画像生成部１１に送出する。画像生成部１１は、検出信号を基に被検体Ｍの透視像が写り込んだ画像Ｐ０を生成する。画像Ｐ０が表示部２５に表示されて実施例１のＸ線撮影装置の動作は終了となる。
【００５０】
以上のように、実施例１の構成によれば、Ｘ線管３の照射範囲を知るための光学ランプ３ｐを備えている。光学ランプ３ｐの適切な点灯時間は撮影の様式によって異なる。そこで、実施例１によれば、光学ランプ制御部９は、操作パネル２６より撮影様式の指示がされると、術者の入力する撮影様式と光学ランプ３ｐの点灯時間とが対応した対応テーブルＴを参照して、術者が指定した撮影様式に対応する点灯時間を認識し、認識した点灯時間だけ光学ランプ３ｐを点灯させるようにしている。このようにすると、コリメータ３ａの開度調節の作業中に光学ランプ３ｐの点灯が終了してしまうことが防がれる。すると、術者は作業中に光学ランプ３ｐを再点灯させる必要がないので、術者の操作の煩雑さが軽減される。また、光学ランプ３ｐの点灯時間は撮影様式ごとに最適になっているので、光学ランプ３ｐの無用な点灯を防止することができる。このようにすることで、光学ランプ３ｐの寿命を長くしてメンテナンスを容易とするとともに、光学ランプ３ｐによるコリメータ５３ａの発熱を極力抑制することが可能なＸ線撮影装置が提供できる。
【００５１】
また、上述の構成は、対応テーブルＴにＸ線管３の制御情報をも含めるようにしている。このようにすれば単一の対応テーブルＴを管理するだけで光学ランプ３ｐとＸ線管３との設定変更ができるので、よりメンテナンスがしやすいＸ線撮影装置が提供できる。
【００５２】
また、上述の構成は、整形における四肢の撮影が可能となっている。整形における四肢の撮影においては、他の撮影に比べて光学ランプ３ｐの点灯時間がより長くなる傾向にある。実施例１を整形における四肢撮影が可能のＸ線撮影装置に適用すれば、より操作が簡便でメンテナンスが容易なＸ線撮影装置が提供できる。
【００５３】
本発明は、上述の構成に限られず、下記のように変形実施することができる。
【００５４】
（１）本発明は、図５に示すように天板２を備えない立位撮影が可能のＸ線撮影装置にも適用することができる。図５における立位撮影用のＸ線撮影装置１０は図１で説明した構成と同様である。異なる点は、Ｘ線管３が鉛直方向に伸びた懸垂支持体２２により検査室の天井から懸垂支持されている点と、ＦＰＤ４が鉛直方向に伸びた支柱２１より検査室の床面から支持されている点である。本変形例においては、Ｘ線管３を鉛直方向に移動させるＸ線管移動機構３３とこれを制御するＸ線管移動制御部３４とを備えている。また、本変形例においては、ＦＰＤ４を鉛直方向に移動させるＦＰＤ移動機構３５とこれを制御するＦＰＤ移動制御部３６とを備えている。
【００５５】
（２）実施例１の構成においては、コリメータ３ａの開度の調節をするコリメータ駆動機構１３と、これを制御するコリメータ駆動制御部１４とを備えていたが、この構成に代えて、コリメータ３ａの開度を手動で調整できる構成としてもよい。
【００５６】
（３）上述した実施例は、操作パネル２６を通じて光学ランプ点灯開始の指示が与えられるようにしているが、コリメータ３aに光学ランプ点灯のスイッチがあればこれを使用して光学ランプ３ｐの点灯制御をしてもよい。
【００５７】
（４）上述した実施例は、医用の装置であったが、本発明は、工業用や、原子力用の装置に適用することもできる。
【００５８】
（５）上述した実施例のいうＸ線は、本発明における放射線の一例である。したがって、本発明は、Ｘ線以外の放射線にも適応できる。
【符号の説明】
【００５９】
Ｔ     対応テーブル
２     天板
３     Ｘ線管（放射線源）
３ａ   コリメータ
３ｐ   光学ランプ
４     ＦＰＤ（放射線検出手段）
５     支柱
６     Ｘ線管制御部（放射線源制御手段）
９     光学ランプ制御手段
１３   コリメータ駆動機構（コリメータ駆動手段）
１４   コリメータ駆動制御部（コリメータ駆動制御手段）
２１   支柱
２２   懸垂支持体
２６   操作パネル（入力手段）
２８   記憶部（記憶手段）
【図１】
2012235949.tif 000003
【図２】
2012235949.tif 000004
【図３】
2012235949.tif 000005
【図４】
2012235949.tif 000006
【図５】
2012235949.tif 000007
【図６】
2012235949.tif 000008